(57)【特許請求の範囲】
【請求項１】
複数枚の紙片を重ねて綴じ合わせる際に使用する紙綴じ具であって、バルカナイズドファイバー製のひご状部材を螺旋状に成形してなるスパイラルリングを前記紙片に形成した穿孔部に挿通させて紙片を綴じるとともに、前記スパイラルリングの両端部分を直線状に成型し、この両端部分を紙片の表紙部分に接着層を有するシート体で被覆するよう接着したことを特徴とする紙綴じ具。
【請求項２】
バルカナイズドファイバー製のひご部材を螺旋状に成形してなるスパイラルリングと複数の穿孔部を有する紙片とを用い、前記スパイラルリングを穿孔部に挿通させて紙片を綴じるとともに、スパイラルリングの両端部分に接着層を有するシート体を接着し、このシート体を紙片の外表に位置する表紙部分に接着して、スパイラルリングの両端部分を表紙部分に固定することを特徴とする紙綴じ具の固定方法。
【発明の詳細な説明】
【０００１】
【発明の属する技術分野】
本発明は紙綴じ具に関し、更に詳細には紙製の綴じ具でノートなどを綴じる構造と、その綴じ具を固定する方法に関する。
【０００２】
【従来の技術】
書類などの紙を冊子のように綴じる構造としては糸によるものや接着によるものなどがあるが、金属や合成樹脂をバネのように形成した部材、いわゆるスパイラルリングで紙を綴じるようにしたものがある。
【０００３】
その構造を簡単に説明すると、書類などの紙の一側縁の内側に２０個程度の穴を形成し、これらの穴にスパイラルリングを通すことで多数の紙を綴じることができるようにしたものである。このようにして綴じると紙を３６０度無理なく回すことができるため折り癖がつかず使用に便利である。
【０００４】
一方このような、スパイラルリングを使用したノートなどを廃棄するにあたっては、ゴミの分別処理や資源リサイクルの観点から金属部分と紙部分に分離する必要がある。
【０００５】
しかし、もともと容易には外れないように綴じているものを分離することは極めて面倒であるため、そのまま不適正に廃棄される傾向にあったことは否めない。
【０００６】
そこで、すべて可燃物、とりわけ燃焼時の有害物質発生が少ない紙だけで冊子を構成し、紙のリサイクルや焼却処理にあたって一体的な処理を可能にしたものが提供されている。
【０００７】
図４はこのような観点からすべて紙だけで構成したノートを示している。図において、綴じられる紙１０の縁部分には多数の穿孔部１１が設けられており、この穿孔部１１の一端から紙製のスパイラルリング１２を回転させながら挿通させてゆくことで紙が綴じられる。
【０００８】
このようにして、有害物質の発生が少ない可燃物だけでノートやカレンダー等を完成させることができるため廃棄やリサイクルの際に面倒なく処理することができるようになった。
【０００９】
【発明が解決しようとする課題】
しかし、前記したようにスパイラルリングを紙で形成した場合、その材質に起因する問題がある。
【００１０】
すなわち、図５に示すようにスパイラルリング１２の両端部分において毛羽立ち１４が生ずるというものである。これは、冊子の開閉に伴ってスパイラルリング１２の両端部分が擦れ、もともと紙で形成され強度が低い端部の繊維が分離してしまうために発生するものと考えられる。
【００１１】
これを防止するには、スパイラルリング１２の先端部分を接着剤や合成樹脂で固め、さらにこれを折り曲げる等の方法が考えられる。しかしながら、このような方法では、製造工程が複雑になるばかりでなく、加工を施したスパイラルリングの先端が鋭く尖ってしまうので扱いにくく、先端の折れによる破損等も生じ易い。
【００１２】
また、スパイラルリング１２は、回転自在に取り付けられているため経年変化で巻が緩んでしまうという問題もあった。
【００１３】
本発明はかかる従来の問題点を解決するためになされたもので、簡単な構成でスパイラルリングの先端の毛羽立ちや破損を防止でき、併せて巻が緩まないようにした紙綴じ具とその固定方法を提供することを技術的課題とする。
【００１４】
【課題を解決するための手段】
本発明の紙綴じ具は、前述した技術的課題を解決するために以下のように構成されている。
【００１５】
すなわち、複数枚の紙片を重ねて綴じ合わせる際に使用する紙綴じ具であって、線状の有機質繊維状材料を螺旋状に成形してなるスパイラルリングを前記紙片に形成した穿孔部に挿通させて紙片を綴じるとともに、前記スパイラルリングの両端部を紙片の外表に位置する表紙部分に接着することを特徴とする。
【００１６】
前記スパイラルリングは、バルカナイズドファイバー製のひご状部材を螺旋状に成形したものを使用することができる。
【００１７】
また、スパイラルリングの両端部分をシート体で被覆するよう接着する場合に、スパイラルリングの両端部分に接着層を有するシート体を接着し、このシート体を紙片の外表に位置する表紙部分に接着して、スパイラルリングの両端部分を表紙部分に固定する方法を採ることができる。
【００１８】
第２の発明は、有機質繊維状材料からなる線状体を螺旋状に成形してなるスパイラルリングと複数の穿孔部を有する紙片とを用い、前記スパイラルリングを穿孔部に挿通させて紙片を綴じるとともに、スパイラルリングの両端部分に接着層を有するシート体を接着し、このシート体を紙片の外表に位置する表紙部分に接着して、スパイラルリングの両端部分を表紙部分に固定することを特徴とする紙綴じ具の固定方法である。
【００１９】
この場合も、前記スパイラルリングはバルカナイズドファイバー製のひご部材を螺旋状に成形したものが使用できる。
【００２０】
以下、各部分につき簡単に説明する。
〔スパイラルリング〕
スパイラルリングは、木材パルプ等を原料とする有機質繊維状材料、例えば、バルカナイズドファイバーを細断してなるひご状部材で構成されたものを使用する。すなわち、バルカナイズドファイバーの原反を細断することで線状体とし、これを螺旋状に成形したスパイラルリングによって、複数枚の紙片を重ねて綴じ合わせることができる。
〔バルカナイズドファイバー〕
木材パルプや実質的に紙と同様な性質を有する各種有機繊維、例えばコットンラグ等から製造されるものである。その製法は、これら繊維を塩化亜鉛の濃厚溶液に浸漬し、この溶液の繊維に対する膨潤膠化反応を利用して一定の板厚に圧縮一体化し、熟成後に水洗して乾燥することにより形成される有機質の工業材料であり、組織密度が高くかつ強靭で摩耗し難く、しかも化学的に中性で耐油性に優れている上に非帯磁性であり、、また、原料紙に顔料や染料を添加することにより様々な色に着色することができる。
【００２１】
またバルカナイズドファイバーは、加熱すると成型容易な加工性を有し、そのまま冷却すると成型時の形状が固定化する性質を有している。
【００２２】
具体的には加熱温度として８０ないし１６０度に保持した加熱雰囲気中に前記ひご状部材を供給し、このひご状部材の水分率を７ないし１０％に保持した状態とする。なお、水分率が６％以下の場合は弾力性が低くなり脆くなる。
【００２３】
そしてひご状部材を直ちに成型用芯金に巻き付けるととともに、この成型用芯金を一定速度で回転させつつ前方に進出させてひご状部材を所定ピッチの螺旋形に成形した後、成型用芯金に巻き付けた状態でそのひご状部材の温度を下げて螺旋形の形に固定し、その後所定の長さに切断してスパイラルリングを得る。
【００２４】
なお、ひご状部材は、実用性を考慮すれば、厚さ０．５ｍｍ以上、２．００ｍｍ以下、好ましくは０．８ｍｍ以上、１．３ｍｍ以下のものが好適である。幅は１．０ｍｍ以上、３．０ｍｍ以下、好ましくは１．５ｍｍ以上、３．０ｍｍ以下のものが好適である。また、密度は０．８ｇ／ｃｍ３以上１．５ｇ／ｃｍ３以下、好ましくは１．１ｇ／ｃｍ３以上１．４ｇ／ｃｍ３以下のものが好適である。また、曲げ強さは、縦方向が１４０ＭＰａ以上２００ＭＰａ以下、横方向が９０ＭＰａ以上１３０ＭＰａ以下、平均水分率は、７％以上１２％以下、好ましくは７％以上１０％以下のものが採用され、熱変形温度は８０度以上１６０度以下のものが採用に適する。
【００２５】
なお、スパイラルリング１の表面に、これを保護して防汚、防水、美観に資するコーティングを施すことができる。
【００２６】
その方法としては、ポリエチレン、ポリプロピレンなどのポリオレフィン系樹脂を、板状段階のバルカナイズドファイバーに熔融押し出しラミネートするもの。あるいはポリオレフィン系樹脂やポリエステル系樹脂によるホットメルトタイプの樹脂を熔融塗工するもの。さらにはワックス類やポリ塩化ビニリデン樹脂などのエマルジョンや溶液を塗布乾燥する各種方法がある。
〔紙片〕
パルプで構成した紙で、ノートやカレンダーなどが例示できる。
〔表紙部分〕
紙片のうち、最上部と最下部の外表に位置する紙で、ノートなどでは強度を得るため他の紙片２に比較して厚い紙で形成することができるが、必ずしも厚い紙とする必要はない。また、一般に紙片２のうち最下部に位置する紙は裏表紙と称されるが、要するに表面に露出する紙という意味で表紙と同一の概念とする。したがって裏表紙に対してスパイラルリングの両端を接着するという概念も当然に含まれるものである。
〔両端〕
スパイラルリング１の裁断部分であるが、この部分を直線的に形成するのが望ましい。この直線部分は表紙部分３への接着代として利用され、より確実な接着をするためのものである。この直線部分の長さは１ｃｍないし３ｃｍ程度が望ましい。なお、直線的に形成しない場合でも、カールしている部分を圧着しながら接着することで強制的に平面状態とすることも可能である。
〔シート体〕
綴じ部材の両端を表紙に固定するもので、紙や焼却可能な布などで形成されている。また、その大きさはスパイラルリングの両端を十分に覆う程度の幅と長さを有している。具体的にはスパイラルリングの幅の３倍程度の幅で、平面部分の１．５倍程度の長さが好適である。
〔接着層〕
粘着層あるいは接着剤で構成されている。粘着層としてはシート体に予め塗布したものを使用し、予めフッ素コーティング紙などで表面を保護しておき、使用の際にフッ素コーティング紙を剥がして接着するものが例示できる。
【００２７】
また、接着剤を使用する場合は合成ゴム系接着剤が例示でき、接着の都度シート体５に塗布するようにしてもよい。
〔穿孔部〕
紙片の縁の内側に多数設けられ、通常は長方形（あるいは丸）の孔である。
【００２８】
以上述べたように、スパイラルリングの両端が表紙部分に接着されるため、毛羽立ちなどの虞れはなくなり、快適に使用することができるようになった。またスパイラルリングの両端が表紙部分に固定されることからスパイラルリングの巻が緩むことはなく、全体の強度を確保することができるとともに見栄えも良い。
【００２９】
【発明の実施の形態】
以下、本発明のバルカナイズドファイバー製紙綴じ具を図１から図３に示される実施形態について更に詳細に説明する。
【００３０】
図はノートに実施した例を示しており、多数の紙片２を重ねて紙製のスパイラルリング１で綴じ合わせたものである。
【００３１】
スパイラルリング１はバルカナイズドファイバー製のひご状部材を螺旋状に成形したものであり、このスパイラルリング１を前記紙片２の側縁の内側に２０箇所程度形成した穿孔部７に通すことで紙片２が綴じられている。スパイラルリング１を穿孔部７に通すに際しては端に位置する穿孔部７にスパイラルリング１の先端を通し、スパイラルリング１を回転させることで順次穿孔部７に挿通してゆき、最後の穿孔部７に通した時点でスパイラルリング１の回転を停止する。
【００３２】
続いて前記スパイラルリングの両端部分４を図２に示すように３ｃｍほど直線状に成型し、この直線部分を図３に示す如く紙片の表紙部分３に接着層６を有するシート体５で被覆するよう接着する。
【００３３】
スパイラルリングの両端部分４を直線状に成型するに際しては手でしごいて成形してもよいし、治具を用いるようにしてもよい。治具としてはペンチの先端に相互にかみ合う半円状の型を設け、この型で両端４を挟むことで、両端４を直線状に形成するものがある。
【００３４】
この場合、スパイラルリングの両端部分４を挟持する部分にヒーターを内蔵し、８０度ないし１６０度程度に熱しておくことで、直線状への成形がより容易になると共に、巻きの戻りも少なくなり安定した形状に成形することができる。
【００３５】
このようにして直線化した両端部分４を表紙部分３に接着するに際しては、図１に示すよう両端部分４を同一の表紙部分３に接着する。すなわち、表紙には表裏２枚あるが、両端部分４を別の表紙に夫々接着することは望ましくない。両端部分４を別の表紙に接着すると、表裏の表紙部分３がスパイラルリング１を介して弾力的に連結されていることになり表紙の開閉に際して抵抗や付勢が生じるからである。したがって、表紙あるいは裏表紙の一方に両端部分４を接着する必要がある。
【００３６】
また、スパイラルリングの両端部分４の表紙部分３への接着は、両端部分４をシート体５で被覆するように行うが、はじめに、スパイラルリング１の両端部分４に接着層６を有するシート体５を接着し、このシート体５を紙片２の外表に位置する表紙部分３に接着する方法が効率的である。シート体５は長方形に形成してもよいが、図１に示すように半円状に形成すればデザイン的にも違和感がない。
【００３７】
以上述べたように、すべて紙製品で冊子を構成できるため、ノートやカレンダーとして使用した後に廃棄する場合でもそのまま焼却することができるのは勿論、スパイラルリングの両端部分４が露出しないので、その部分の毛羽立ちや破損は生じない。なお、両端部分４が尖った状態で露出しないため、安全性の観点からも好ましいものとなる。
【００３８】
また、スパイラルリングの両端部分４の表紙部分３への接着をシート体５で行うことで、製造も極めて容易である。
【００３９】
【発明の効果】
本発明によれば、有機質繊維状材料からなるスパイラルリングを前記紙片に所定数形成した穿孔部に通すことで紙片を綴じるとともに、スパイラルリングの両端部を紙片の外表に位置する表紙部分に接着したので、スパイラルリングの両端部が露出することはないので、綴じ部材の両端が毛羽立ちや折れによる破損が生じることがない。
【００４０】
また、スパイラルリングは表紙部分に固定されるため巻きが戻るなどの虞れもなく冊子を最後まで快適に使用できる。
【００４１】
また製造も簡単なため低コストで実施が可能である。
【図面の簡単な説明】
【図１】本発明の一実施形態である全体を示す斜視図である。
【図２】本発明の一実施形態である書類バインダーの製法を示す側面図である。
【図３】本発明の一実施形態である書類バインダーの製法における接着後の状態を示す側面図である。
【図４】従来の冊子の綴じ構造を示す斜視図である。
【図５】従来の冊子の綴じ構造の一部を示す斜視図である。
【符号の説明】
１  スパイラルリング
２  紙片
３  表紙部分
４  両端部分
５  シート体
６  接着層
７  穿孔部
【図１】
0004108992.tif 000002
【図２】
0004108992.tif 000003
【図３】
0004108992.tif 000004
【図４】
0004108992.tif 000005
【図５】
0004108992.tif 000006